(57)【要約】      （修正有）【課題】照射性能を長期間維持することができ、保守管理が負担にならないポール型道路標識装置を提供する。【解決手段】外周表面を道路カーブ、工事等の注意喚起用の有色に施された中段筒状表示ブロック体及び上段の帽状上段筒状表示ブロック体の夫々の光反射シートにＥＬ表示標識シートを貼着し、この上段の帽状上段筒状表示ブロック体に被さる可透性キャップの天板の上反角面にＥＬ表示標識シートに印加する太陽電池を装備し、且つ天板の上反角面の下面と前記帽状上段筒状表示ブロック体の上面との傾斜空間に太陽電池の蓄電池を収納する。【選択図】図１
0003152563.tif 000002
【実用新案登録請求の範囲】
【請求項１】
外周表面を道路カーブ、工事等の注意喚起用の有色に施し、且つ前記外周表面に光反射シート及び該光反射シートに貼着されたＥＬ表示標識シートとで構成された一定高さの中段筒状表示ブロック体と、この中段筒状表示ブロック体を複数段嵌合積載すると共に外周表面を注意喚起用の有色に施した道路面固定用下段筒状表示ブロック体と、更に前記最上段の中段筒状表示ブロック体と嵌合積載されると共に、外周表面を道路カーブ、工事等の注意喚起用の有色に施し、且つ前記外周表面に光反射シート及び該光反射シートに貼着されたＥＬ表示標識シートとで構成された帽状上段筒状表示ブロック体と、更にこの帽状上段筒状表示ブロック体に被さると共に、天板が上反角面となる可透性キャップと、この可透性キャップの天板の上反角面に備えられると共に、前記中段筒状表示ブロック体及び帽状上段筒状表示ブロック体のＥＬ表示標識シートに印加する電源用太陽電池と、前記可透性キャップの天板の上反角面の下面と前記帽状上段筒状表示ブロック体の上面との傾斜空間に収納した前記電源用太陽電池の蓄電池とで成したことを特徴とするポール型道路標識装置。
【請求項２】
前記ＥＬ表示標識シートは、太陽電池のＤＣ出力を発振回路を介して一定間隔で断続的に点滅表示することを特徴とする請求項１記載のポール型道路標識装置。
【請求項３】
前記光反射シートは、帽状上段筒状表示ブロック体及び中段筒状表示ブロック体の外周表面に夫々形成された凹溝にほぼ面一となる様、貼着したことを特徴とする請求項１記載のポール型道路標識装置。
【考案の詳細な説明】
【技術分野】
【０００１】  本考案は道路カーブ、工事等の注意喚起用として、例えばオレンジ色彩を施されたポール及びそのオレンジ色彩の表面に光反射シートを貼着して一定間隔にて複数本設置されるポール型道路標識装に関する。
【背景技術】
【０００２】  この種ポール型道路標識装置は、高さ約８０ｃｍ、外径約８ｃｍのポールの外周表面全体にオレンジ色彩を施し、更にそのオレンジ色彩の表面に例えば塩ビ系の光反射シートを等間隔に数枚貼着した簡易なポール型道路標識装置が存在する。
然しながら、その用途から光反射シートは蛍光塗料を塗布した程度のものであって、特に道路という特殊な環境下では排ガス、粉塵等が付着し、更には風雨によって退化する。
勿論、大掛な装置、更には用途が異なるものとして下記文献が存在する。
【先行技術文献】
【特許文献】
【０００３】
【特許文献１】  特開平１０−１８３５４１号・・・・・文献１  実用新案登録第３１３８０２６号・・・・文献
【考案の概要】
【考案が解決しようとする課題】
【０００４】  本考案は、ポールの外周表面全体に施されたオレンジ色彩の表面に、等間隔にて光反射シートを数枚貼付したポール型道路標識装置において、特に問題となる道路という特殊な環境下での排ガス、粉塵等の付着、更には風雨によって光反射シートの退化という課題を簡易な装置ということを前提に解決しようとするものである。
【課題を解決するための手段】
【０００５】  以上の課題を解決するために本考案は、外周表面を道路カーブ、工事等の注意喚起用の有色に施された中段筒状表示ブロック体及び上段の帽状上段筒状表示ブロック体の夫々の光反射シートにＥＬ表示標識シートを貼着し、この上段の帽状上段筒状表示ブロック体に被さる可透性キャップの天板の上反角面にＥＬ表示標識シートに印加する太陽電池を装備し、且つ天板の上反角面の下面と前記帽状上段筒状表示ブロック体の上面との傾斜空間に太陽電池の蓄電池を収納したことを特徴とするものである。
更に本考案は、ＥＬ表示標識シートを太陽電池からのＤＣ出力を発振回路にて一定間隔で断続的に点滅表示することを特徴とするものである。
また本考案は、光反射シートを各筒状表示ブロック体の外周表面に夫々形成された凹溝にほぼ面一となる様、貼着したことを特徴とするものである。
【考案の効果】
【０００６】（１）請求項１により、中段筒状表示ブロック体及び上段の帽状上段筒状表示ブロック体の夫々の光反射シートが多少退化しても、ＥＬ表示標識シートの照射にて補足でき、且つ電源は太陽電池にて供給するので保守管理もさほど負担にならない。
更に、太陽電池を備える可透性キャップを帽状上段筒状表示ブロック体に被せているので、その光反射シート及びＥＬ表示標識シートの照射が損なわれず、且つキャップが不透明であると光反射シート及びＥＬ表示標識シートの照射を損なわない様、その分だけポール型道路標識装置の高さが高くなるが、既成タイプのものにも対応できる。
また、太陽電池は可透性キャップの天板の上反角面に装備されており、且つ可透性キャップの天板の下面と帽状上段筒状表示ブロック体の上面との傾斜空間に太陽電池の蓄電池を収納しているので、太陽光受光角としての傾斜空間を有効に活用できる。【０００７】（２）請求項２により、ＥＬ表示標識シートが一定間隔で断続的に点滅表示するので、光反射シートが多少退化しても、適正な注意喚起を維持できる。【０００８】（３）請求項３により、特に光反射シートは排ガス、粉塵等との化学反応によって退化が促進されるが、光反射シートの上端縁に粉塵が堆積せず、光反射シートの照射性能を長期間維持できる。
【図面の簡単な説明】
【０００９】
【図１】  本考案に係るポール型道路標識装置を示す斜視図
【図２】  同上の拡大部分断面図
【図３】  同上の筒状表示ブロック体相互の嵌合図
【図４】  同上のＥＬ表示標識シートの貼着拡大図
【図５】  同上の拡大分解斜視図
【図６】  蓄電池とＥＬ表示標識シートとの接続回路図
【図７】  ＥＬ表示標識シートを点滅表示させる回路図
【図８】  発振回路図
【図９】  フリップフロップ回路図
【図１０】  点滅時間出力図
【考案を実施するための形態】
【００１０】  以下本考案を実施形態の図面に基づいて説明する。
図１は本考案に係るポール型道路標識装置を示す斜視図であって、一定高さの中段筒状表示ブロック体１と、この中段筒状表示ブロック体１を複数段嵌合積載し、道路面に固定される台座４を有する下段筒状表示ブロック体２と、更に最上段の中段筒状表示ブロック体１に被さる帽状上段筒状表示ブロック体３とでポール型道路標識装置Ｘを構成する。
【００１１】  而して、中段筒状表示ブロック体１、下段筒状表示ブロック体２、帽状上段筒状表示ブロック体３の外周表面全体は外周表面を道路カーブ、工事等の注意喚起用の有色に施されている。具体的にはオレンジ系に色彩着色した合成樹脂製としている。
更に、中段筒状表示ブロック体１、帽状上段筒状表示ブロック体３の外周表面には例えば塩ビ系の光反射シート５を等間隔に複数枚貼着している。
この光反射シート５にはＥＬ表示標識シート６が平行して上下に２本貼着されており、ＥＬ表示標識シート６とは、所謂エレクトロルミネンスと称し、電圧を印加することによって発光する。
【００１２】  勿論、下段筒状表示ブロック体２にも光反射シート５、ＥＬ表示標識シート６を貼着してもよい。
図２は拡大部分断面図であって、図３にも示す様に中段筒状表示ブロック体１、下段筒状表示ブロック体２には小径の嵌合用突出筒部７が形成されており、この嵌合用突出筒部７が上段に位置する他方の中段筒状表示ブロック体１、或いは帽状上段筒状表示ブロック体３の夫々の内孔１ａ、３ａに挿入嵌合し、ポール型道路標識装置Ｘを成す。
【００１３】  勿論、嵌合用突出筒部７は上向きに形成されているが、下向きとしてもよい。
図３は嵌合部７に下広状の突起８を設け、嵌合される他方の中段筒状表示ブロック体１、或いは下段筒状表示ブロック体２、帽状上段筒状表示ブロック体３に係合孔９を設けて矢印方向に圧入して一体化する。
而して、図４に示す如く、中段筒状表示ブロック体１、帽状上段筒状表示ブロック体３の外周表面に凹溝１０を形成し、この凹溝１０に光反射シート５を副い入れて貼着し、中段筒状表示ブロック体１及び帽状上段筒状表示ブロック体３の外周表面とがほぼ面一となる様し、粉塵等が光反射シート５の上端縁に粉塵が堆積せず、光反射シートの照射性能を長期間維持できる。
【００１４】  帽状上段筒状表示ブロック体３には、天板１１ａが上反角面となる可透性キャップ１１が被さり、天板１１ａの上反角面の下面１１ｂと帽状上段筒状表示ブロック体３の上面３ａとには傾斜空間１２が形成される。
而して、可透性キャップ１１の上反角面の天板１１ａに太陽光にて発電する太陽電池１３を装備し、また傾斜空間１２には蓄電池１４を収納したボックス１５が位置する。可透性キャップ１１は退色に優れたポリカーボネート樹脂にて形成する。
この可透性キャップ１１を帽状上段筒状表示ブロック体３に被せた後、太陽電池１３の最適な受光角度に適合する様、矢印に示す如く可透性キャップ１１を回転させて設置する。勿論、接着剤止めとしてもよい。
【００１５】  図６は、太陽電池１３の蓄電池１４からの出力がリード線１７を介して発振回路１６及び各ＥＬ表示標識シート５に印加される。
図７は電気回路ブロック図であって、太陽電池１３の降圧装置、更には過充電制御装置及び電流逆流防止装置が接続され、制御装置１８が蓄電池１９及び発振回路１６に接続され、発振回路１６がＥＬ表示標識シート６にと夫々接続されている。
勿論、これらは必要に応じボックス１５に収納される。
【００１６】  図８、９、１０は一定間隔で断続的に点滅表示させる具体的回路図であって、図８に示す如く、ＣＲよりなる発振回路１６及び発振回路１６には図９に示す如く、フリップフロップ回路１１を接続しており、出力振幅の変化を各々のＥＬ表示標識シート６に出力し、図１０に示す如く、ＥＬ表示標識シート６の点滅時間を変化させる。
【符号の説明】
【００１７】  Ｘ    ポール型道路標識装置
１    中段筒状表示ブロック体
２    下段筒状表示ブロック体
３    帽状上段筒状表示ブロック体
５    光反射シート
６    ＥＬ表示標識シート
１０  凹溝
１１  可透性キャップ
１２  傾斜空間
１３  太陽電池
１４  蓄電池
１６  発振回路
【図１】
0003152563.tif 000003
【図２】
0003152563.tif 000004
【図３】
0003152563.tif 000005
【図４】
0003152563.tif 000006
【図５】
0003152563.tif 000007
【図６】
0003152563.tif 000008
【図７】
0003152563.tif 000009
【図８】
0003152563.tif 000010
【図９】
0003152563.tif 000011
【図１０】
0003152563.tif 000012